(57)【要約】【課題】小型化されるとともに損失の少ないアンテナ装置を得る。【解決手段】一本の導体１３を折り曲げて形成されたアンテナ素子１２と、このアンテナ素子１２に接続されるとともにリアクタンス素子で形成された整合回路２６と、この整合回路２６に接続された端子とを備え、前記導体１３の浮遊容量と前記導体のインダクタンスとによる共振周波数は前記送信或いは受信電波の周波数帯域外としたものである。これにより、小型化するとともに損失の少ないアンテナ装置を得ることができる。【選択図】　図１
2004048433.tif 000002
【特許請求の範囲】
【請求項１】
一本の導体を折り曲げて形成されたアンテナ素子と、このアンテナ素子に接続されるとともにリアクタンス素子で形成された整合回路と、この整合回路に接続された端子とを備え、前記導体の浮遊容量と前記導体のインダクタンスとによる共振周波数は、前記アンテナ素子の送信或いは受信電波の周波数帯域外としたアンテナ装置。
【請求項２】
アンテナ素子は、導体同士が略平行に対向して配置された対向部を有し、この対向部間の浮遊容量と、前記アンテナ素子のインダクタンスとによる共振周波数が前記送信或いは前記アンテナ素子の受信電波の周波数帯域外とした請求項１に記載のアンテナ装置。
【請求項３】
アンテナ素子は、送信或いは受信電波の波長に比べて充分に小さいインダクタンスを有した請求項１に記載のアンテナ装置。
【請求項４】
アンテナ素子と整合回路との間には、前記アンテナ素子に固定されるとともに、前記アンテナ素子を可動とする可動導体部が挿入された請求項１に記載のアンテナ装置。
【請求項５】
アンテナ素子は、互いに略同じ長さであるとともに略平行に対向して配置されて浮遊容量を有した複数個の導体と、これらの導体の端部が隣接した導体の端部と接続されるとともにインダクタンスを有する連結部から成り、前記導体と連結部とが交互に接続された請求項１に記載のアンテナ装置。
【請求項６】
アンテナ素子は、導体同士が略平行に対向して配置された対向部を有し、この対向部間の間隔は、前記アンテナ素子の共振周波数が前記送信或いは受信電波の周波数帯域外となる程度に大きくした請求項１に記載のアンテナ装置。
【請求項７】
アンテナ素子は、導体同士が略平行に対向して配置された対向部を有し、この対向部の長さは、前記アンテナ素子の共振周波数が前記送信或いは受信電波の周波数帯域外となる程度に小さくした請求項１に記載のアンテナ装置。
【請求項８】
一本の導体が折り曲げられて形成されたアンテナ素子と、このアンテナ素子に接続されるとともにリアクタンス素子で形成された整合回路と、この整合回路に接続された端子とを備え、前記アンテナ素子は、導体同士が略平行に対向して配置された対向部と、この対向部の隣接する端部同士を連結するとともに前記対向部とは対向しないように設けられた連結部とを有し、前記対向部間の浮遊容量と前記連結部のインダクタンスによる共振周波数は、前記送信或いは受信電波の周波数の帯域外としたアンテナ装置。
【請求項９】
アンテナ素子はプリント基板上に配線された導体で形成された請求項８に記載のアンテナ装置。
【請求項１０】
プリント基板上に矩形形状の導体が、連続的に蛇行して配置されたアンテナ素子と、このアンテナ素子に接続されるとともにリアクタンス素子で形成された整合回路と、この整合回路に接続された端子と、前記導体同士が互いに略平行に対向して配置された対向部と、この対向部間に設けられた連結部とを備え、この連結部のインダクタンスと前記対向部間の浮遊容量とによる共振周波数は、前記送信或いは受信電波の周波数帯域外としたアンテナ装置。
【請求項１１】
アンテナ素子と、このアンテナ素子に接続されるとともにリアクタンス素子で形成された整合回路と、この整合回路に接続された端子とを備え、前記アンテナ素子と前記整合回路との間には、前記アンテナ素子に固定されるとともに、前記アンテナ素子を可動とする可動導体部が挿入され、この可動導体部には、複数個の可動部が回転自在に設けられ、これらの可動部が有する浮遊容量とアンテナ素子のインダクタンスとによる共振周波数は、前記送信或いは受信電波の周波数帯域外としたアンテナ装置。
【請求項１２】
一本の導体を折り曲げて形成されたアンテナ素子と、このアンテナ素子に接続されるとともにリアクタンス素子で形成された整合回路と、この整合回路の出力が供給される選局部と、この選局部の出力が供給される復調部と、この復調部の出力が供給される誤り訂正部と、この誤り訂正部の出力が供給される端子とを有し、前記導体の浮遊容量と前記導体のインダクタンスとによる共振周波数は前記送信或いは受信電波の周波数帯域外とした携帯装置。
【請求項１３】
共振周波数は、端子における復調信号のビット誤り率に影響を与えない程度に高くした請求項１２に記載の携帯装置。
【請求項１４】
アンテナ素子は、導体同士が略平行に対向して配置された対向部を有し、この対向部間の距離は、端子における復調信号のビット誤り率に影響を与えない程度に大きくした請求項１２に記載の携帯装置。
【請求項１５】
アンテナ素子は、導体同士が略平行に対向して配置された対向部を有し、この対向部の長さは、端子における復調信号のビット誤り率に影響を与えない程度に小さくした請求項１２に記載の携帯装置。
【請求項１６】
アンテナ素子と前記整合回路との間には、前記アンテナ素子に固定されるとともに、前記アンテナ素子を可動とし、可動部が回転自在に設けられた可動導体部が挿入され、前記整合回路が形成されたプリント基板を覆う携帯装置ケースを有し、少なくとも前記アンテナ素子は、この携帯装置ケースから露出して設けられた請求項１２に記載の携帯装置。
【発明の詳細な説明】
【０００１】
【発明の属する技術分野】
本発明は、一本の導体を折り曲げて形成されたアンテナ素子を用いたアンテナ装置とこれを用いた携帯装置に関するものである。
【０００２】
【従来の技術】
以下、従来のアンテナ装置について受信のアンテナ装置を例にして説明する。
【０００３】
従来のアンテナ装置は、図３に示すように、受信電波の略４分の１波長の長さを有したアンテナ素子１と、このアンテナ素子１に接続されるとともにリアクタンス素子で形成された整合回路２と、この整合回路２の出力に接続された端子３とで構成されていた。そしてアンテナ素子１は複数個の直線的な導体４で形成されていた。
【０００４】
またこのアンテナ素子１は、送信、あるいは受信しようとする周波数に応じてその長さを調整することで、インピーダンスのロスを小さくして受信していた。
【０００５】
【発明が解決しようとする課題】
しかしながら従来の構成では、アンテナ素子１の導体４を直線状の形状にしていたので、どうしても大型化してしまうという問題があった。例えば１００ＭＨｚでは波長は３ｍとなるし、１ＧＨｚでも３０ｃｍとなる。
【０００６】
また、細い線状の導体を巻いて形成された小型のアンテナ素子は、たとえばテレビ放送等のような広帯域かつ高い周波数を受信する場合、受信周波数の帯域が広いため、受信周波数帯域内でのインピーダンス変動が大きくなり、信号のロスが大きくなる周波数が生じるので、使用できないという問題を有していた。
【０００７】
そこで本発明は、この問題を解決したもので、小型化するとともに損失の少ないアンテナ装置を提供することを目的としたものである。
【０００８】
【課題を解決するための手段】
この目的を達成するために本発明のアンテナ装置は、一本の導体を折り曲げて形成されたアンテナ素子と、このアンテナ素子に接続されるとともにリアクタンス素子で形成された整合回路と、この整合回路に接続された端子とを備え、前記導体の浮遊容量と前記導体のインダクタンスとによる共振周波数は前記送信或いは受信電波の周波数帯域外としたものである。これにより、小型化するとともに損失の少ないアンテナ装置を得ることができる。
【０００９】
【発明の実施の形態】
本発明の請求項１に記載の発明は、一本の導体を折り曲げて形成されたアンテナ素子と、このアンテナ素子に接続されるとともにリアクタンス素子で形成された整合回路と、この整合回路に接続された端子とを備え、前記導体の浮遊容量と前記導体のインダクタンスとによる共振周波数は、前記アンテナ素子の送信或いは受信電波の周波数帯域外としたアンテナ装置であり、これによりアンテナ装置の有する共振周波数は送信あるいは受信帯域外となるので、導体を折り曲げてアンテナ素子を形成しても、アンテナ素子の送信あるいは受信電波の周波数帯域内において、容易にアンテナ装置の出力インピーダンスの変動を小さくすることができる。従って、小型かつ損失の小さなアンテナ装置を実現することができる。
【００１０】
請求項２に記載の発明のアンテナ素子は、導体同士が略平行に対向して配置された対向部を有し、この対向部間の浮遊容量と、前記アンテナ素子のインダクタンスとによる共振周波数が、前記アンテナ素子の送信或いは受信電波の周波数帯域外とした請求項１に記載のアンテナ装置であり、対向部の間で生じる浮遊容量とアンテナのインダクタンスとの共振周波数を、アンテナ素子の送信あるいは受信帯域外としているので、導体を折り曲げてアンテナ素子を形成しても、送信あるいは受信電波の周波数帯域内において、容易にアンテナ装置の出力インピーダンスの変動を小さくすることができる。従って、小型かつ損失の小さなアンテナ装置を実現することができる。
【００１１】
請求項３に記載の発明におけるアンテナ素子は、送信或いは受信電波の波長に比べて充分に小さいインダクタンスを有した請求項１に記載のアンテナ装置であり、送信或いは受信電波の波長に比べて充分に小さいのでさらに小型のアンテナ装置を実現することができる。
【００１２】
また、送信あるいは受信電波の周波数帯域内において、容易にアンテナ装置の出力インピーダンスの変動を小さくすることができるので、小型でありながらロスの小さいアンテナ装置を実現することができる。
【００１３】
請求項４に記載の発明のアンテナ素子と整合回路との間には、前記アンテナ素子に固定されるとともに、前記アンテナ素子を可動とする可動導体部が挿入された請求項１に記載のアンテナ装置であり、可動導体部ではアンテナ素子を動かすことができるので、電波状態に応じてアンテナ素子を動かし、受信レベルを最良に設定することができる。
【００１４】
請求項５に記載の発明のアンテナ素子は、互いに略同じ長さであるとともに略平行に対向して配置されて浮遊容量を有した複数個の導体と、これらの導体の端部が隣接した導体の端部と接続されるとともにインダクタンスを有する連結部から成り、前記導体と連結部とが交互に接続された請求項１に記載のアンテナ装置であり、これによりアンテナ装置の有する共振周波数は送信あるいは受信帯域外となるので、導体を折り曲げてアンテナ素子を形成しても、送信あるいは受信電波の周波数帯域内において、容易にアンテナ装置の出力インピーダンスの変動を小さくすることができる。
【００１５】
さらに連結部の長さと導体間の距離は反比例し、連結部のインダクタンスと導体間の浮遊容量とは反比例する。つまり、アンテナ素子を小型にするために、導体同士を近接して配置すると、浮遊容量は大きくなるがその分連結部のインダクタンスは小さくなることとなるので、アンテナ素子の共振周波数が小さくなることはなく、送信あるいは受信電波の周波数帯域内に共振周波数が入ることはない。従って、導体間の距離を小さくすることができるので、小型かつ損失の小さいアンテナ装置を実現することができる。
【００１６】
請求項６に記載の発明におけるアンテナ素子は、導体同士が略平行に対向して配置された対向部を有し、この対向部間の間隔は、前記アンテナ素子の共振周波数が前記送信或いは受信電波の周波数帯域外となる程度に大きくした請求項１に記載のアンテナ装置であり、これにより対向部間の距離に反比例して生じる浮遊容量を小さくすることができ、その浮遊容量による共振周波数を前記送信或いは受信電波の周波数帯域外となるように大きくすることができる。従って、アンテナ装置の有する共振周波数は送信あるいは受信帯域外となり、導体を折り曲げた小型のアンテナ素子であっても、送信あるいは受信電波の周波数帯域内におけるアンテナ装置の出力インピーダンスの変動を小さくすることができ、電波のロスの小さなアンテナ装置を実現することができる。
【００１７】
請求項７に記載の発明におけるアンテナ素子は、導体同士が略平行に対向して配置された対向部を有し、この対向部の長さは、前記アンテナ素子の共振周波数が前記送信或いは受信電波の周波数帯域外となる程度に小さくした請求項１に記載のアンテナ装置であり、これにより対向部の長さに比例して生じる浮遊容量を小さくすることができ、その浮遊容量による共振周波数を前記送信或いは受信電波の周波数帯域外となるように大きくすることができる。従って、アンテナ装置の有する共振周波数は送信あるいは受信帯域外となり、導体を折り曲げた小型のアンテナ素子であっても、送信あるいは受信電波の周波数帯域内におけるアンテナ装置の出力インピーダンスの変動を小さくすることができ、電波のロスの小さなアンテナ装置を実現することができる。
【００１８】
請求項８に記載の発明は、一本の導体が折り曲げられて形成されたアンテナ素子と、このアンテナ素子に接続されるとともにリアクタンス素子で形成された整合回路と、この整合回路に接続された端子とを備え、前記アンテナ素子は、導体同士が略平行に対向して配置された対向部と、この対向部の隣接する端部同士を連結するとともに前記対向部とは対向しないように設けられた連結部とを有し、前記対向部間の浮遊容量と前記連結部のインダクタンスによる共振周波数は、前記送信或いは受信電波の周波数の帯域外としたアンテナ装置であり、これによりアンテナ装置の有する共振周波数は送信あるいは受信帯域外となるので、導体を折り曲げてアンテナ素子を形成しても、送信あるいは受信電波の周波数帯域内において、容易にアンテナ装置の出力インピーダンスの変動を小さくすることができる。
【００１９】
さらに連結部の長さと導体間の距離は反比例し、連結部のインダクタンスと対向部間の浮遊容量とは反比例する。つまり、アンテナ素子を小型にするために、導体を近接して配置すると、浮遊容量は大きくなるがその分連結部のインダクタンスは小さくなり、アンテナ素子の共振周波数が小さくなることはない。従って、送信あるいは受信電波の周波数帯域内に共振周波数が入ることはなく、導体間の距離を小さくすることができるので、小型かつ損失の小さいアンテナ装置を実現することができる。
【００２０】
請求項９に記載の発明におけるアンテナ素子は、プリント基板上に配線された導体で形成された請求項８に記載のアンテナ装置であり、アンテナ素子の導体をエッチング等によるパターン等の安価な方法で形成することができる。
【００２１】
また、パターンの幅を小さくしてやれば、アンテナ素子のインダクタンスを小さくすることができるので、小型なアンテナ素子を得ることができる。
【００２２】
さらに、アンテナ素子のインダクタンス値は小さくなり、アンテナ素子の共振周波数を大きくすることができるので、送信あるいは受信電波の周波数帯域内に共振周波数が入ることはなく、損失の小さいアンテナ装置を実現することができる。
【００２３】
請求項１０に記載の発明は、プリント基板上に矩形形状の導体が、連続的に蛇行して配置されたアンテナ素子と、このアンテナ素子に接続されるとともにリアクタンス素子で形成された整合回路と、この整合回路に接続された端子と、前記導体同士が互いに略平行に対向して配置された対向部と、この対向部間に設けられた連結部とを備え、この連結部のインダクタンスと前記対向部間の浮遊容量とによる共振周波数は、前記送信或いは受信電波の周波数帯域外としたアンテナ装置であり、これにより導体は矩形形状であるので、連結部と対向部との間での浮遊容量を小さくすることができる。従って連結部と対向部との間での浮遊容量と連結部のインダクタンスによる共振周波数は大きくなり、アンテナ素子の送信あるいは受信電波の周波数帯域外とすることができる。
【００２４】
さらに対向部間に生じる浮遊容量と連結部のインダクタンスとによる共振周波数も、前記送信或いは受信電波の周波数帯域外としているので、アンテナ素子の送信あるいは受信電波の周波数帯域内に共振周波数が入ることはなく、小型かつ損失の小さいアンテナ装置を実現することができる。
【００２５】
請求項１１に記載の発明は、アンテナ素子と、このアンテナ素子に接続されるとともにリアクタンス素子で形成された整合回路と、この整合回路に接続された端子とを備え、前記アンテナ素子と前記整合回路との間には、前記アンテナ素子に固定されるとともに、前記アンテナ素子を可動とする可動導体部が挿入され、この可動導体部には、複数個の可動部が回転自在に設けられ、これらの可動部が有する浮遊容量とアンテナ素子のインダクタンスとによる共振周波数は、前記送信或いは受信電波の周波数帯域外としたアンテナ装置であり、これにより可動導体部でアンテナ素子を動かすことができるので、電波状態に応じてアンテナ素子を動かし、受信レベルを最良に設定することができる。
【００２６】
また、可動部が有する浮遊容量とアンテナ素子のインダクタンスとによる共振周波数は、前記送信或いは受信電波の周波数帯域外としているので、損失の小さいアンテナ装置を実現することができる。
【００２７】
請求項１２に記載の発明は、一本の導体を折り曲げて形成されたアンテナ素子と、このアンテナ素子に接続されるとともにリアクタンス素子で形成された整合回路と、この整合回路の出力が供給される選局部と、この選局部の出力が供給される復調部と、この復調部の出力が供給される誤り訂正部と、この誤り訂正部の出力が供給される端子とを有し、前記導体の浮遊容量と前記導体のインダクタンスとによる共振周波数は前記送信或いは受信電波の周波数帯域外とした携帯装置であり、これによりアンテナ素子の有する共振周波数は送信あるいは受信帯域外となるので、導体を折り曲げてアンテナ素子を形成しても、送信あるいは受信電波の周波数帯域内において、容易にアンテナ素子の出力インピーダンスの変動を小さくすることができる。従って、小型かつ損失の小さな携帯装置を実現することができる。
【００２８】
請求項１３に記載の発明の共振周波数は、端子における復調信号のビット誤り率に影響を与えない程度に高くした請求項１２に記載の携帯装置であり、これにより共振周波数は、端子における復調信号のビット誤り率に影響を与えない程度に高くしているので、送信あるいは受信電波の周波数帯域内において、容易にアンテナ素子の出力インピーダンスの変動が小さくなり、復調信号のビット誤り率を安定することができる。
【００２９】
請求項１４に記載の発明のアンテナ素子は、導体同士が略平行に対向して配置された対向部を有し、この対向部間の距離は、端子における復調信号のビット誤り率に影響を与えない程度に大きくした請求項１２に記載の携帯装置であり、これにより対向部間の距離は、端子における復調信号のビット誤り率に影響を与えない程度に大きくしているので、送信あるいは受信電波の周波数帯域内において、容易にアンテナ素子の出力インピーダンスの変動が小さくなり、復調信号のビット誤り率を安定することができる。
【００３０】
請求項１５に記載の発明におけるアンテナ素子は、導体同士が略平行に対向して配置された対向部を有し、この対向部の長さは、端子における復調信号のビット誤り率に影響を与えない程度に小さくした請求項１２に記載の携帯装置であり、これにより対向部の長さは、端子における復調信号のビット誤り率に影響を与えない程度としているので、送信あるいは受信電波の周波数帯域内において、容易にアンテナ素子の出力インピーダンスの変動が小さくなり、復調信号のビット誤り率を安定することができる。
【００３１】
請求項１６に記載の発明は、アンテナ素子と前記整合回路との間には、前記アンテナ素子に固定されるとともに、前記アンテナ素子を可動とし、可動部が回転自在に設けられた可動導体部が挿入され、前記整合回路が形成されたプリント基板を覆う携帯装置ケースを有し、少なくとも前記アンテナ素子は、この携帯装置ケースから露出して設けられた請求項１２に記載の携帯装置であり、これにより整合回路を携帯装置ケース内に形成することができ、小型の携帯装置を実現することができる。
【００３２】
（実施の形態１）
以下、本発明の実施形態１について図面に基づいて説明する。図１は、本発明のアンテナ装置を用いた携帯装置のブロック図である。図１において、１１はプリント基板である。このプリント基板１１上には、アンテナ素子１２が形成されている。このアンテナ素子１２は、エッチング等によって形成された導体１３により形成されているので、安価なアンテナ素子を実現することができる。
【００３３】
ここで、本実施の形態１におけるアンテナ素子１２は、エッチングによって０．５ｍｍ幅の細いパターンを精度よく形成することができるので、安定しかつ小型ながら大きなインダクタンスを有したアンテナ素子を得ることができる。本実施の形態１においては、全長寸法１６は４０ｍｍであり、またその全幅寸法１７は約１０ｍｍであり、テレビ放送の信号の周波数帯域である９０ＭＨｚから約９００ＭＨｚの周波数の波長に比べて非常に小さいインダクタンス値を有した小型なアンテナ素子を実現することができるものである。
【００３４】
また、導体１３は矩形形状で蛇行した形状であるので、基板の面積を有効に利用することができる。
【００３５】
１８は、アンテナ素子１２に接続された抵抗であり、本実施の形態では８２オームの抵抗を用いている。なお、この抵抗１８の抵抗値は３０オームから５００オームの間のものを用いて良い結果を得ている。なお、抵抗１８は、チップ抵抗とし、リフローはんだ付で接続されることが望ましい。これはリフローはんだ付けにより、チップ抵抗１８にはセルフアライメント効果が生じ、チップ抵抗１８は精度よく所定の位置に装着される。これにより、チップ抵抗１８の装着ズレによるアンテナ素子１２のインダクタンスがズレることはなく、安定したアンテナ装置を得ることができる。
【００３６】
また、本実施の形態１においてはチップ抵抗１８をプリント基板１１に装着したが、これは導体１３自身に抵抗値を有する導体を用い、チップ抵抗１８を省略しても良い。
【００３７】
１９はアンテナケースであり、アンテナ素子１２が形成されたプリント基板１１を覆うように設けられている。
【００３８】
２０は、可動導体部である。この可動導体部２０は、受信信号を伝送可能なように金属で形成され、Ｂ方向に回転自在に設けられた第１の可動導体部２１と、Ａ方向に回転自在に設けられた第２の可動導体部２２から構成されるとともに、それぞれの可動導体部２１と２２とは接触して設けられている。２３は可動導体部２２に接続された基部であり、この基部２３は携帯装置本体２４に設けられたプリント基板２５上に形成された整合回路２６に接続されるとともに、携帯装置本体２４の携帯装置ケース２７に固定されている。
【００３９】
２８は選局部であり、受信したい周波数のみを選局し、さらに検波あるいは、Ｉ，Ｑ信号を抽出するものである。
【００４０】
２９は誤り訂正部であり、この誤り訂正部２９の出力から端子３０に接続されている。ここで誤り訂正部２９は、選局部２８の出力に接続されたビタビ訂正器と、このビタビ訂正器の出力が接続されたリードソロモン訂正器とから構成されている。
【００４１】
ここでビタビ訂正器は、復調されたディジタル信号が予め定められた規則に反していないかどうかを判定し、違反している箇所について信号の訂正、復元を行うものである。さらにリードソロモン訂正器ではビタビ訂正器で訂正されたディジタル信号を再度訂正、復元するものである。一般的にこのリードソロモン訂正器での訂正のためのリードソロモンデータは、予め画像信号データに付して送信されて来る。そこで、リードソロモン訂正器では、そのリードソロモンデータと、送られた画像信号とからディジタル信号を訂正、復元するものである。
【００４２】
なお、各国でそのディジタル信号のビット数や、リードソロモンデータのビット数は異なるが、一般的にはビタビ訂正器の出力での誤り率が０．０００２以下である場合には、リードソロモン訂正器の出力の誤り率を０とすることができるとされている。
【００４３】
ここで、送信あるいは受信周波数帯域内で受信信号に損失が生じると、誤り訂正部２９の訂正によって信号を再生することができなくなるので、端子３０での出力信号のビット誤り率が悪くならないように受信信号の損失を小さくなるようにすることが重要である。
【００４４】
以上の構成によって、アンテナ素子１２は、このアンテナ素子のインダクタンスと浮遊容量とにより生じる共振周波数を有することとなる訳であるが、この共振周波数をアンテナ素子１２の受信あるいは送信周波数外とすることが重要である。
【００４５】
また、本実施の形態１におけるアンテナ素子１２は、矩形形状で蛇行した形状としているので、導体１３が互いに略平行に対向して配置された対向部３１ａ，３１ｂの間にも浮遊容量３２を有することとなる。この場合、対向部３１ａと３１ｂとを接続した連結部３３の有するインダクタンス値と前記浮遊容量３２とによる共振周波数をアンテナ素子１２の受信あるいは送信周波数外とすることが重要である。
【００４６】
このとき浮遊容量３２が大きくなると、共振周波数は低い周波数となり、送信あるいは受信周波数帯域内に入ってくる。そこで浮遊容量３２を小さくするために、対向部３１ａ，３１ｂの対向する長さ３４は小さくしておくことが重要となる。本実施の形態１においてはアンテナ素子の全幅と略同じ１０ｍｍとしている。
【００４７】
一方対向部３１ａと３１ｂとの間隔３５を小さくしても浮遊容量は増加する。しかしながら、その場合には対向部３１ａと３１ｂ間を接続する連結部３３の長さは短くなるので、連結部３３のインダクタンスは減少する。つまり間隔３５を小さくすることによって浮遊容量３２が大きくなるが、連結部のインダクタンスが小さくなるため、その共振周波数の変化は小さくなる。本実施の形態１においては、間隔３５を１ｍｍとし、連結部のパターン幅は、アンテナ素子のパターン幅と同じ０．５ｍｍとしている。ここでも浮遊容量３２と連結部のインダクタンス値とによる共振周波数を、アンテナ素子１２の受信あるいは送信周波数外とすることが重要になる。
【００４８】
さらに、可動導体部２１と２２、基部２３とは接触により接続されているので、これらの可動導体部２０で微小な浮遊容量を有することとなる。このときにはアンテナ素子１２のインダクタンスと可動導体部２０が有する浮遊容量が直列に接続されることとなり、これらによる共振周波数をアンテナ素子１２の受信あるいは送信周波数外とすることが重要である。
【００４９】
以上の構成によってアンテナ装置の有する浮遊容量とインダクタンスによる共振周波数は、アンテナ素子１２の受信あるいは送信周波数外となるので、その周波数帯域内でのインピーダンスの変動を小さくすることができる。従って、アンテナ素子１２の受信あるいは送信周波数帯域内で損失を小さくすることができるので、端子３０でのビット誤り率をよくすることができることとなる。
【００５０】
（実施の形態２）
以下、本発明の実施形態２について図面に基づいて説明する。図２は、本発明のアンテナ装置を用いた携帯装置のブロック図である。図２において、実施の形態１と同じものについては同じ番号を付し、その説明は簡略化する。
【００５１】
図２において、５０は線状の導体５１が螺旋状形状に巻かれたアンテナ素子である。このアンテナ素子５０の一方の出力は整合回路２６に供給され、この整合回路の出力は端子３０に供給される。
【００５２】
ここで、導体５１は螺旋状形状であるので、導体５１同士が連続的に対向することとなる。従ってこの対向によって生じる浮遊容量と、アンテナ素子５０の有するインダクタンス値によって決定される共振周波数をアンテナ素子１２の受信あるいは送信周波数外とすることが重要である。
【００５３】
なお、本実施の形態２においては、空芯コイルとしたが、誘電体物質の周りに導体を設けたアンテナ素子としても良い。
【００５４】
【発明の効果】
以上のように本発明によれば、一本の導体を折り曲げて形成されたアンテナ素子と、このアンテナ素子に接続されるとともにリアクタンス素子で形成された整合回路と、この整合回路に接続された端子とを備え、前記導体の浮遊容量と前記導体のインダクタンスとによる共振周波数は前記送信或いは受信電波の周波数帯域外としたものである。これにより、小型化するとともに損失の少ないアンテナ装置を得ることができる。
【図面の簡単な説明】
【図１】本発明の一実施の形態におけるアンテナ装置のブロック図
【図２】本発明の一実施の形態におけるアンテナ装置のブロック図
【図３】従来のアンテナ装置のブロック図
【符号の説明】
１２　アンテナ素子
１３　導体
２６　整合回路
３０　端子
【図１】
2004048433.tif 000003
【図２】
2004048433.tif 000004
【図３】
2004048433.tif 000005